(57)【要約】リボルバは、シリンダヨークとフレームとの間に正の機械的係合を提供する、戻り止め機構を有する。フレーム上に搭載された筐体は、ピンに横方向に係合する、ばね付勢されたプランジャを有する。ピンは、筐体から突出し、リボルバシリンダが閉鎖されるときにヨーク上の陥凹に係合する。ピンは、プランジャによって陥凹と係合するように付勢され、発射の際、リボルバを閉鎖された状態に維持し、かつシリンダのチャンバをバレルと精密に整合した状態に維持する。シリンダに印加される手動力は、付勢力を克服し、リボルバが開閉されることを可能にすることができる。
2019501349.tif 000002
【特許請求の範囲】
【請求項１】
戻り止め機構であって、
筐体と、
前記筐体内に位置付けられたピンボアであって、前記ピンボアは、ピンボア軸に沿って縦方向に延在する、ピンボアと、
前記筐体内に位置付けられ、前記ピンボアを交差する、プランジャ空洞であって、前記プランジャ空洞は、プランジャ空洞軸に沿って縦方向に延在し、前記プランジャ空洞軸は、前記ピンボア軸に対して横方向に配向されている、プランジャ空洞と、
先端を有するピンであって、前記ピンは、前記ピンボア内に位置付けられ、前記先端が前記筐体から突出する第１の位置と、前記先端が前記筐体内にある第２の位置との間で、前記ピンボア軸に沿って移動可能である、ピンと、
前記ピン上に位置付けられた作用表面であって、前記作用表面は、前記ピンボア軸に対して横方向に配向されている、作用表面と、
端部を有するプランジャであって、前記プランジャは、前記プランジャ空洞内に位置付けられ、前記プランジャ空洞軸に沿って移動可能である、プランジャと、
前記プランジャ空洞内に位置付けられ、前記プランジャの前記端部を前記ピンの前記作用表面と係合するように付勢する、ばねと
を備える、戻り止め機構。
【請求項２】
前記プランジャ空洞は、前記筐体の表面上で終端する開放端と、前記筐体内で終端する閉鎖端とを備え、前記ばねは、前記閉鎖端と前記プランジャとの間に位置付けられている、請求項１に記載の戻り止め機構。
【請求項３】
前記先端は、円錐形表面を備える、請求項１に記載の戻り止め機構。
【請求項４】
前記ピンは、前記先端の反対側に配置された端部を備え、前記端部は、円錐形表面を備える、請求項３に記載の戻り止め機構。
【請求項５】
前記ピンは、丸みを帯びた断面を有する、請求項１に記載の戻り止め機構。
【請求項６】
前記作用表面は、３０°〜６０°の前記ピンボア軸に対する配向角度を有する、請求項１に記載の戻り止め機構。
【請求項７】
前記作用表面は、４５°の前記ピンボア軸に対する配向角度を有する、請求項１に記載の戻り止め機構。
【請求項８】
前記ピンは、円筒形本体を備える、請求項１に記載の戻り止め機構。
【請求項９】
前記作用表面は、前記円筒形本体内に形成された切り欠きの表面を備える、請求項８に記載の戻り止め機構。
【請求項１０】
前記切り欠きは、Ｖ形状である、請求項９に記載の戻り止め機構。
【請求項１１】
前記プランジャは、丸みを帯びた断面を有する、請求項１に記載の戻り止め機構。
【請求項１２】
前記プランジャは、円筒形本体を備える、請求項１に記載の戻り止め機構。
【請求項１３】
前記プランジャの前記端部は、前記プランジャ空洞軸に対して角度を付けて配向された少なくとも１つの表面を備える、請求項１に記載の戻り止め機構。
【請求項１４】
前記少なくとも１つの表面は、３０°〜６０°の前記プランジャ空洞軸に対する配向角度を有する、請求項１３に記載の戻り止め機構。
【請求項１５】
前記少なくとも１つの表面は、４５°の前記プランジャ空洞軸に対する配向角度を有する、請求項１３に記載の戻り止め機構。
【請求項１６】
前記プランジャの前記端部は、前記プランジャ空洞軸に対して角度を付けて配向された第１および第２の表面を備える、請求項１に記載の戻り止め機構。
【請求項１７】
リボルバであって、
フレームと、
前記フレーム上に搭載され、開放位置と閉鎖位置との間で枢動軸を中心として移動可能である、ヨークであって、陥凹は、前記ヨークの中に位置付けられている、ヨークと、
前記ヨーク上に搭載されたシリンダと、
戻り止め機構であって、前記戻り止め機構は、
前記ヨークに隣接して前記フレーム上に搭載された筐体と、
前記筐体内に位置付けられたピンボアであって、前記ピンボアは、ピンボア軸に沿って縦方向に延在する、ピンボアと、
前記筐体内に位置付けられ、前記ピンボアを交差する、プランジャ空洞であって、前記プランジャ空洞は、プランジャ空洞軸に沿って縦方向に延在し、前記プランジャ空洞軸は、前記ピンボア軸に対して横方向に配向されている、プランジャ空洞と、
先端を有するピンであって、前記ピンは、前記ピンボア内に位置付けられ、前記ピンは、前記ヨークが前記閉鎖位置にあるとき、前記先端が前記筐体から突出し、前記陥凹に係合する、第１の位置と、前記先端が前記筐体内にある第２の位置との間で、前記ピンボア軸に沿って移動可能である、ピンと、
前記ピン上に位置付けられた作用表面であって、前記作用表面は、前記ピンボア軸に対して横方向に配向されている、作用表面と、
端部を有するプランジャであって、前記プランジャは、前記プランジャ空洞内に位置付けられ、前記プランジャ空洞軸に沿って移動可能である、プランジャと、
前記プランジャ空洞内に位置付けられ、前記プランジャの前記端部を前記ピンの前記作用表面と係合するように付勢する、ばねと
を備える、戻り止め機構と
を備える、リボルバ。
【請求項１８】
前記プランジャ空洞は、前記筐体の表面上で終端する開放端と、前記筐体内で終端する閉鎖端とを備え、前記ばねは、前記閉鎖端と前記プランジャとの間に位置付けられている、請求項１７に記載のリボルバ。
【請求項１９】
前記開放端は、前記ヨークが前記閉鎖位置にあるとき、前記ヨークに面する、請求項１８に記載のリボルバ。
【請求項２０】
前記ピンボア軸は、前記枢動軸と平行である、請求項１７に記載のリボルバ。
【請求項２１】
前記先端は、円錐形表面を備える、請求項１７に記載のリボルバ。
【請求項２２】
前記ピンは、前記先端の反対側に配置された端部を備え、前記端部は、円錐形表面を備える、請求項２１に記載のリボルバ。
【請求項２３】
前記ピンは、丸みを帯びた断面を有する、請求項１７に記載のリボルバ。
【請求項２４】
前記作用表面は、３０°〜６０°の前記ピンボア軸に対する配向角度を有する、請求項１７に記載のリボルバ。
【請求項２５】
前記作用表面は、４５°の前記ピンボア軸に対する配向角度を有する、請求項１７に記載のリボルバ。
【請求項２６】
前記ピンは、円筒形本体を備える、請求項１７に記載のリボルバ。
【請求項２７】
前記作用表面は、前記円筒形本体内に形成された切り欠きの表面を備える、請求項２６に記載のリボルバ。
【請求項２８】
前記切り欠きは、Ｖ形状である、請求項２７に記載のリボルバ。
【請求項２９】
前記プランジャは、丸みを帯びた断面を有する、請求項１７に記載のリボルバ。
【請求項３０】
前記プランジャは、円筒形本体を備える、請求項１７に記載のリボルバ。
【請求項３１】
前記プランジャの前記端部は、前記プランジャ空洞軸に対して角度を付けて配向された少なくとも１つの表面を備える、請求項１７に記載のリボルバ。
【請求項３２】
前記少なくとも１つの表面は、３０°〜６０°の前記プランジャ空洞軸に対する配向角度を有する、請求項３１に記載のリボルバ。
【請求項３３】
前記少なくとも１つの表面は、４５°の前記プランジャ空洞軸に対する配向角度を有する、請求項３１に記載のリボルバ。
【請求項３４】
前記プランジャの前記端部は、前記プランジャ空洞軸に対して角度を付けて配向された第１および第２の表面を備える、請求項１７に記載のリボルバ。
【発明の詳細な説明】
【技術分野】
【０００１】
（関連出願への相互参照）
本出願は、２０１６年１月１３日に出願された米国非仮特許出願第１４／９９４，７７３号に基づき、かつそれに対して優先権を主張する。上記文献は、参照することによって本明細書において援用される。
【０００２】
（発明の分野）
本発明は、戻り止め機構および戻り止め機構を使用するリボルバに関する。
【背景技術】
【０００３】
（背景）
スイングアウトシリンダを有するリボルバは、フレームの強度を損なわせることなく、カートリッジを容易に装填および吐出することを可能にするため、長く使用できる。そのようなリボルバは、特殊設計課題、特に、リボルバを閉鎖構成に維持するための戻り止め機構の使用に関する課題を呈する。機構は、堅牢かつ信頼性がなければならない。すなわち、発射の際、リボルバを閉鎖された状態に維持するが、使用済みカートリッジを吐出および再装填するために手動で容易に開放されることを可能にしなければならない。また、戻り止め機構が、シリンダとバレルとの間の精密な整合を維持することに役立つ場合、有利である。理想的には、戻り止め機構は、リボルバフレーム上への作製および組立が簡単になる。
【発明の概要】
【課題を解決するための手段】
【０００４】
（要約）
本発明は、戻り止め機構に関する。一実施形態では、戻り止め機構は、筐体を備える。ピンボアが、筐体内に位置付けられる。ピンボアは、ピンボア軸に沿って縦方向に延在する。プランジャ空洞が、筐体内に位置付けられ、ピンボアに交差する。プランジャ空洞は、プランジャ空洞軸に沿って縦方向に延在する。プランジャ空洞軸は、ピンボア軸に対して横方向に配向される。ピンが、先端を有する。ピンは、ピンボア内に位置付けられ、先端が筐体から突出する第１の位置と、先端が筐体内にある第２の位置との間で、ピンボア軸に沿って移動可能である。作用表面が、ピン上に位置付けられる。作用表面は、ピンボア軸に対して横方向に配向される。プランジャが、端部を有する。プランジャは、プランジャ空洞内に位置付けられ、プランジャ空洞軸に沿って動可能である。ばねが、プランジャ空洞内に位置付けられ、プランジャの端部をピンの作用表面と係合するように付勢する。
【０００５】
特定の例示的実施形態では、プランジャ空洞は、筐体の表面上で終端する開放端と、筐体内で終端する閉鎖端とを備える。ばねは、本実施例では、閉鎖端とプランジャとの間に位置付けられる。
【０００６】
具体的実施例では、先端は、円錐形表面を備える。さらなる実施例として、ピンは、先端の反対側に配置される端部を備える。端部は、例示的実施形態では、円錐形表面を備える。一例として、ピンは、丸みを帯びた断面を有する。さらなる実施例では、作用表面は、３０°〜６０°のピンボア軸に対する配向角度を有する。具体的実施例では、作用表面は、４５°のピンボア軸に対する配向角度を有する。例示的実施形態では、ピンは、円筒形本体を備える。さらに一例として、作用表面は、円筒形本体内に形成される切り欠きの表面を備える。具体的実施例では、切り欠きは、Ｖ形状である。さらなる一例として、プランジャは、丸みを帯びた断面を有する。具体的実施例では、プランジャは、円筒形本体を備える。一例として、プランジャの端部は、プランジャ空洞軸に対して角度を付けて配向される少なくとも１つの表面を備える。例示的実施形態では、少なくとも１つの表面は、３０°〜６０°のプランジャ空洞軸に対する配向角度を有する。特定の実施例では、少なくとも１つの表面は、４５°のプランジャ空洞軸に対する配向角度を有する。さらなる実施例として、プランジャの端部は、プランジャ空洞軸に対して角度を付けて配向される第１および第２の表面を備える。
【０００７】
本発明はまた、リボルバを包含する。例示的実施形態では、リボルバは、フレームを備える。ヨークが、フレーム上に搭載される。ヨークは、開放位置と閉鎖位置との間で枢動軸を中心として移動可能である。陥凹が、ヨーク内に位置付けられる。シリンダが、ヨーク上に搭載される。戻り止め機構が、ヨークに隣接してフレーム上に搭載される、筐体を備える。ピンボアが、筐体内に位置付けられる。ピンボアは、ピンボア軸に沿って縦方向に延在する。プランジャ空洞が、筐体内に位置付けられ、ピンボアに交差する。プランジャ空洞は、プランジャ空洞軸に沿って縦方向に延在する。プランジャ空洞軸は、ピンボア軸に対して横方向に配向される。先端を有するピンが、ピンボア内に位置付けられる。ピンは、ヨークが閉鎖位置にあるとき、先端が筐体から突出し、陥凹に係合する、第１の位置と、先端が筐体内にある第２の位置との間で、ピンボア軸に沿って移動可能である。作用表面が、ピン上に位置付けられる。作用表面は、ピンボア軸に対して横方向に配向される。プランジャが、端部を有する。プランジャは、プランジャ空洞内に位置付けられ、プランジャ空洞軸に沿って移動可能である。ばねが、プランジャ空洞内に位置付けられる。ばねは、プランジャの端部をピンの作用表面と係合するように付勢する。
【０００８】
例示的リボルバでは、プランジャ空洞は、筐体の表面上で終端する開放端と、筐体内で終端する閉鎖端とを備える。ばねが、閉鎖端とプランジャとの間に位置付けられる。一例として、開放端は、ヨークが閉鎖位置にあるとき、ヨークに面する。さらなる実施例では、ピンボア軸は、枢動軸と平行である。具体的実施例では、先端は、円錐形表面を備える。なおもさらなる一例として、ピンは、先端の反対側に配置される端部を備え、端部は、本実施例では、円錐形表面を備える。例示的実施形態では、ピンは、丸みを帯びた断面を有する。特定の実施例では、作用表面は、３０°〜６０°のピンボア軸に対する配向角度を有する。具体的実施例では、作用表面は、４５°のピンボア軸に対する配向角度を有する。
【０００９】
例示的実施形態では、ピンは、円筒形本体を備える。さらに一例として、作用表面は、円筒形本体内に形成される切り欠きの表面を備える。例示的実施形態では、切り欠きは、Ｖ形状である。別のリボルバ実施例では、プランジャは、丸みを帯びた断面を有する。具体的実施例では、プランジャは、円筒形本体を備える。さらに一例として、プランジャの端部は、プランジャ空洞軸に対して角度を付けて配向される少なくとも１つの表面を備える。特定の例示的実施形態では、少なくとも１つの表面は、３０°〜６０°のプランジャ空洞軸に対する配向角度を有する。具体的例示的実施形態では、少なくとも１つの表面は、４５°のプランジャ空洞軸に対する配向角度を有する。さらなる実施例として、プランジャの端部は、プランジャ空洞軸に対して角度を付けて配向される第１および第２の表面を備える。
【図面の簡単な説明】
【００１０】
【図１】図１は、閉鎖構成における、本発明による例示的リボルバの左側面図である。
【図２】図２は、開放構成における、図１のリボルバの部分的等角図である。
【図３】図３は、右側から見た図１に示されるリボルバの構成要素の等角図である。
【図４】図４は、図２における線４−４において得られた断面図である。
【図５】図５および６は、本発明による例示的戻り止めの動作を図示する、断面図である。
【図６】図５および６は、本発明による例示的戻り止めの動作を図示する、断面図である。
【発明を実施するための形態】
【００１１】
（詳細な説明）
図１は、グリップ１４と、トリガガード１６とを含む、フレーム１２を備える、例示的リボルバ１０を示す。バレル１８が、フレームに取り付けられる。リボルバ１０は、「スイングアウト」タイプリボルバであり、したがって、ヨーク２２上に搭載されたシリンダ２０を有する。ヨーク２２は、フレーム１２上に搭載され、閉鎖位置（図１）と開放位置（図２）との間で枢動軸２４を中心として移動可能である。図３は、以下により詳細に説明される、ヨーク２２の逆方向図を示し、ヨークは、陥凹２６を有する。
【００１２】
図２および４は、例示的戻り止め機構２８を示す。戻り止め機構２８は、ヨーク２２に隣接してフレーム１２上に搭載された筐体３０を備える。ピンボア３２が、筐体３０内に位置付けられる。ピンボア３２は、ピンボア軸３４に沿って縦方向に延在する。本実施例では、ピンボア軸３４は、ヨーク２２の枢動軸２４と平行である。プランジャ空洞３６もまた、筐体３０内に位置付けられる。プランジャ空洞３６は、ピンボア３２に交差し、ピンボア軸３４に対して横方向に配向される、プランジャ空洞軸３８に沿って延在する。本実施例では、プランジャ空洞軸３８およびピンボア軸３２は、相互に直角である。さらに一例として、プランジャ空洞３６は、筐体３０の表面４２上で終端する、開放端４０と、筐体内で終端する、閉鎖端４４とを備える。
【００１３】
図２および４に示されるように、ピン４６が、ピンボア３２内に位置付けられる。本実施例では、ピン４６は、丸みを帯びた断面を有し、先端５０と、反対側に配置される端部５２とを有する、円筒形本体４８を備える。一例として、先端５０および反対側端部５２は両方とも、個別の円錐形表面５４および５６を備える。円錐形表面５４および５６は、ピンボア軸３４に対して測定されるとき、約３０°〜約６０°の円錐角度５８を有する。約４５°の円錐角度が、有利であると考えられる。半球形状等の先端５０および反対側端部５２のための他の形状もまた、実行可能である。
【００１４】
図５および６に図示されるように、ピン４６は、先端５０が筐体３０から突出する、第１の位置（図２および５）と、先端５０が筐体３０内にある、第２の位置（図６）との間で、ピンボア軸３４に沿って移動可能である。ヨーク２２が図１の閉鎖位置にあるとき、ピン４６は、第１の位置にあり、先端５０は、筐体３０から突出し、ヨーク２２内の陥凹２６に係合する（図３および５参照）。ピン４６は、したがって、戻り止めとして作用し、ヨーク２２を閉鎖位置に保定する。ピン４６がピンボア軸３４に沿って第２の位置（図６）に移動されると、ヨーク２２が、軸２４を中心として図２の開放位置に枢動することを可能にし、使用済みカートリッジの装填、装填解除、またはシリンダ２０から吐出を可能にする。本実施例では、筐体３０は、図１および２から推測され得るように、ヨークが閉鎖位置にあるとき、プランジャ空洞３６の開放端４０がヨーク２２に面するように配列されることに留意されたい。
【００１５】
図５および６に示される第１の位置と第２の位置との間のピン４６の運動は、プランジャ６０とのその相互作用によって統制される。図４に示されるように、プランジャ６０が、プランジャ空洞３６内に位置付けられ、プランジャ空洞軸３８に沿って移動可能である。本実施例ではプランジャ６０は、丸みを帯びた断面を有し、円筒形本体６２を備える。プランジャ６０は、プランジャ６０とプランジャ空洞３６の閉鎖端４４との間に位置付けられるばね６４によって、プランジャ空洞３６の開放端４０に向かって付勢される。ばね６４は、本実施例では、コイルばねであるが、他のタイプのばねもまた、実行可能である。
【００１６】
プランジャ６０は、ばね６４によって、ピン４６上に位置付けられる作用表面６８と係合するように付勢される、端部６６を有する。作用表面６８は、ピンボア軸３４に対して横方向に配向され、円筒形本体４８内に形成される切り欠き７０の表面を備える。本実施例では、切り欠き７０は、対称「Ｖ」形状切り欠きであり、２つの作用表面６８を有すると考えられ得るが、他の切り欠き形状も、実行可能である。一方または両方の作用表面６８は、ピンボア軸３４に対して角度を付けて配向され、約３０°〜約６０°の配向角度７２を有し、約４５°の配向角度が、有利である。実践的設計では、作用表面６８に係合する、プランジャ６０の端部６６は、プランジャ空洞軸３８に対して角度を付けて配向される、少なくとも１つの端部表面７４を備える。端部表面７４は、約３０°〜約６０°の配向角度７６を有し、約４５°の配向角度が、有利である。戻り止め機構２８の組立の際、プランジャ６０の端部６６とピン４６の作用表面６８との間の協働を確実にするために、２つの角度を付けて配向される端部表面７４をプランジャ６０上に有することが有利である。図４の例示的実施形態に示されるように、プランジャ６０の端部６６は、対称的に配列される２つの端部表面７４を有する。図４に示されるように、端部表面７４の配向角度７６と比較して、作用表面６８の配向角度７２が異なることがさらに有利である。約１°〜約３°の角度差７８が、実践的であると考えられる。
【００１７】
戻り止め機構２８の組立は、筐体３０内のピンボア３２およびプランジャ空洞３６の構成によって簡略化される。ばね６４が、最初に、プランジャ空洞３６の中にその開放端４０を通して挿入され、その後、プランジャ６０が続く。プランジャ端部表面７４をピンボア軸３４と対面関係で整合させるように配慮される。ピン４６が、次いで、ピンボア３２の中に挿入される（ピンボアが両端で開放する貫通ボアである場合、いずれかの端部から）。ピン４６の先端５０の円錐形表面５４またはピン４６の反対側端５２の円錐形表面５６とプランジャ６０の端部表面７４のうちの１つとの間の係合は、プランジャをプランジャ空洞３６の閉鎖端４４に向かって押進させ、ばね６４を圧縮させるであろう。係合表面の角度配向は、ピン４６がピンボア軸３４に沿って移動されるにつれて、プランジャ空洞軸３８に沿ったプランジャ６０の運動を促進する。ピン４６の切り欠き７０が、プランジャ６０の端部６６と整合すると、ばね６４は、図４に示されるように、プランジャ端部表面７４をピン４６の作用表面６８に係合するように付勢する。ピン４６は、したがって、プランジャ６０との機械的係合によって、ピンボア３２内に捕捉され、ばね６４によって切り欠き７０の中に付勢される。ピンボア３２が、本明細書の例示的実施形態に示されるように、貫通ボアである場合、分解は、ピン４６をピンボアの反対側端から外れるように押進させるためにピンボアの一端に印加される、打撃を使用して可能となる。分解の際、ピン４６上の作用表面６８のうちの１つとプランジャ端部表面７４との間の係合は、プランジャ６０をプランジャ空洞３６の閉鎖端４４に向かって押進させ、それによって、プランジャ端部６６を切り欠き７０から除去し、ピン４６を解放する。プランジャ６０およびばね６４は、次いで、反転されると、重力下で筐体３０から外れるであろう。
【００１８】
リボルバ１０上で使用されるときの戻り止め機構２８の動作は、図５および６に図示される。図５に示されるように、ヨーク２２は、閉鎖位置（また、図１参照）にあり、ピン４６の先端５０が、筐体３０から外向きに突出し、ヨーク２２内の陥凹２６に係合する。ピン４６と陥凹２６との間の機械的係合は、リボルバの発射の際、シリンダ２０のチャンバ８０（図２参照）がバレル１８（図１参照）と整合するように、ヨーク２２を閉鎖位置に維持する。シリンダ２０とフレーム１２との間の空動きを防止し、それによって、リボルバが閉鎖されると、チャンバ８０とバレル１８との間の整合が、常時、維持されることを確実にするために、陥凹２６、ピン４６、およびプランジャ６０の幾何学形状ならびに公差は、ばね６４がプランジャ端部表面７４をピン作用表面６８と係合するように付勢することにより、ピン４６の先端５０の円錐形表面５４を陥凹２６の表面８２と係合するように押進させるようなものである。表面８２は、有利には、先端５０の円錐角度５８に合致する配向角度８４において、ピンボア軸３４に対して角度を付けて配向される。
【００１９】
リボルバ１０を開放することが所望されると、図２に示されるように、力は、フレーム１２に対してシリンダ２０の右側に印加される。力は、ヨーク２２の枢動軸２４を中心として印加されるトルクをもたらす。ヨークが枢動し始めるにつれて（図５および６を比較）、陥凹２６の表面８２とピン４６の先端５０の円錐形表面５４との間の相互作用は、ピン４６を陥凹２６との係合から外れるように押進させる。円錐形表面５４および陥凹表面８２の相対的角度配向は、ピン４６をピンボア軸３４に沿って移送させ、陥凹２６（図６）との係合から外れるように押進させ、ヨーク２２およびシリンダ２０が閉鎖位置（図１）から開放位置（図２）に枢動することを可能にする。ピンボア軸３４に沿ったピン４６の運動は、ばね付勢されたプランジャ６０によって抵抗され、その端部表面７４は、ピン４６の作用表面６８に対抗して作用する。しかしながら、端部表面７４および作用表面６８の配向角度は、ばね６４のばね堅度とともに、ピン４６の反抵抗運動の程度が、シリンダ２０に印加される力が最小実践的閾値を達成するときのみ、リボルバが開放するようなものであるように配列される。そうでなければ、ピン４６は、陥凹２６と係合されたままであり、リボルバ１０の不注意による、かつ望ましくない開放を防止する。
【００２０】
本発明による戻り止め機構を有するリボルバは、チャンバとバレルとの間の精密な整合を伴ってリボルバを閉鎖された状態に維持するための簡略化された機構を用いて、信頼性のある動作を提供することが予期される。
【図１】
2019501349.tif 000003
【図２】
2019501349.tif 000004
【図３】
2019501349.tif 000005
【図４】
2019501349.tif 000006
【図５】
2019501349.tif 000007
【図６】
2019501349.tif 000008
【国際調査報告】
2019501349.tif 000009